(57)【特許請求の範囲】
【請求項１】
文字および画像情報を表示可能な携帯型電子機器であって、
前記文字または画像情報を表示可能な第１と第２の表示部を含む複数の表示部と、
前記複数の表示部の表示を制御する表示制御部と、
複数の画像の画像データを格納するメモリと、
電源投入時に前記第１の表示部に表示する画像を、前記複数の画像の中から選択的に設定する設定制御部と、を備え、
前記第２の表示部には、複数枚の画像からなる動画像をオープニング画像として表示し、前記第１の表示部には、前記設定制御部により選択的に設定された１枚の画像を、前記第２の表示部における前記複数枚の画像の表示の順に応じて、複数段階に分けて表示する、
携帯型電子機器。
【請求項２】
請求項１記載の携帯型電子機器であって、
前記第１の表示部は、前記第２の表示部とは独立に表示のオン／オフが制御可能であることを特徴とする、
携帯型電子機器。
【請求項３】
請求項２記載の携帯型電子機器であって、
前記第１の表示部に表示された前記画像を、ユーザの指示による所定の操作の実行に従って非表示とすることができることを特徴とする、
携帯型電子機器。
【請求項４】
請求項１または請求項２記載の携帯型電子機器であって、さらに、
画像を撮影する撮像素子と、
前記撮像素子で撮影される画像を画像情報として取得するための画像制御部と、を備える、
携帯型電子機器。
【請求項５】
請求項４記載の携帯型電子機器であって、
前記設定制御部により選択的に設定される画像には、前記撮像素子で撮影される画像が含まれることを特徴とする、
携帯型電子機器。
【請求項６】
請求項１ないし請求項４のいずれかに記載の携帯型電子機器であって、
前記第１の表示部は、前記第２の表示部に比べて比較的消費電力が大きい表示デバイスである、
携帯型電子機器。
【請求項７】
前記携帯型電子機器は電子メール端末であることを特徴とする請求項１ないし請求項６のいずれかに記載の携帯型電子機器。
【請求項８】
請求項７記載の携帯型電子機器であって、
前記設定制御部により選択的に設定される画像には、受信した電子メールに添付された画像が含まれることを特徴とする、
携帯型電子機器。
【発明の詳細な説明】
【０００１】
【発明の属する技術分野】
文字および画像情報を表示可能な携帯型電子機器に関する。
【０００２】
【従来の技術】
携帯電話サービスには、本来の目的である電話のサービスだけでなく、各種のサービスが追加されている。携帯電話のサービスの１例として、携帯電話あるいはコンピュータとの間でインターネットを介して電子メールの送受信を可能とするサービスがある。このサービスの利用を容易にするための電子機器として、携帯型メール端末（以下、単に「メール端末」と呼ぶ場合もある）が開発されている。メール端末は、例えば、コンピュータと同様なキーボードと、携帯電話よりも比較的大きな表示画面とを備えるコンピュータである。ユーザは、このメール端末を利用して電子メールを作成する。そして、作成した電子メールを、メール端末に接続された携帯電話を介して送信することができる。また、送信された電子メールを受信して表示画面上に表示し、その内容を読むことができる。また、送受信される電子メールには、ＣＣＤ等の撮像素子で撮影された画像（以下、「撮影画像」と呼ぶ場合もある）やコンピュータで作成された画像（以下、「ＣＧ画像」と呼ぶ場合もある）などのグラフィック画像が添付されている場合があり、メール端末では、このような添付されたグラフィック画像を表示画面上に表示することができる。
【０００３】
【発明が解決しようとする課題】
携帯型メール端末の電源投入時（起動時）には、通常、あらかじめ準備されている画像がオープニング画面として表示されている。しかし、ユーザによっては、自分の所有する携帯型メール端末を他のユーザのそれと差別化することによって個性を主張したいという欲求や、単に人とは違うものを持ちたいという欲求があり、通常のオープニング画面とは別に、自分の好みの画像を選択して表示させてたいという要望がある。なお、このような要望は、携帯型メール端末に限らず、画像を表示する携帯型電子機器に共通する。
【０００４】
この発明は、従来技術における上述の課題を解決するためになされたものであり、オープニング画像とともにユーザが選択した画像を同時に表示することが可能な携帯型電子機器を提供することを目的とする。
【０００５】
【課題を解決するための手段およびその作用・効果】
上述の課題の少なくとも一部を解決するため、本発明の携帯型電子機器は、
前記文字または画像情報を表示可能な第１と第２の表示部を含む複数の表示部と、
前記複数の表示部の表示を制御する表示制御部と、
複数の画像の画像データを格納するメモリと、
電源投入時に前記第１の表示部に表示する画像を、前記複数の画像の中から選択的に設定する設定制御部と、を備え、
前記第２の表示部には、複数枚の画像からなる動画像をオープニング画像として表示し、前記第１の表示部には、前記設定制御部により選択的に設定された１枚の画像を、前記第２の表示部における前記複数枚の画像の表示の順に応じて、複数段階に分けて表示することを特徴とする。
【０００６】
本発明の携帯型電子機器によれば、装置の起動時に表示されるオープニング画像とともにユーザが選択した画像を同時に表示することができる。これにより、ユーザは、自分の所有する携帯型メール端末を他のユーザのそれと差別化することによって個性を主張したいという欲求や、単に人とは違うものを持ちたいという欲求を満たすことが可能である。また、オープニング画面表示時において、初期設定に要する時間をユーザが長いと感じるのを抑制することができる。
【０００７】
上記携帯型電子機器において、
前記第１の表示部は、前記第２の表示部とは独立に表示のオン／オフが制御可能であることが好ましい。
【０００８】
上記携帯型電子機器は、第１の表示部の表示を、第２の表示部とは独立して制御することができるので、例えば、第１の表示部における表示が不要な場合において、その表示をオフすることができる。これにより、第１の表示部における消費電力を抑制することができるので、携帯型電子機器全体としての消費電力を抑制することができる。この結果、携帯型電子機器に用いられる電池寿命を比較的長くすることができる。
【０００９】
なお、前記第１の表示部に表示された前記画像を、ユーザの指示による所定の操作の実行に従って非表示とすることができるようにしてもよい。
【００１０】
こうすれば、上記携帯型電子機器と同様に、携帯型電子機器の消費電力を抑制することができる。
【００１１】
ここで、上記携帯型電子機器は、
画像を撮影する撮像素子と、
前記撮像素子で撮影される画像を画像情報として取得するための画像制御部と、を備えることが好ましい。
【００１２】
上記構成によれば、撮像素子で撮影した画像を携帯型電子機器において利用することができる。
【００１３】
なお、前記設定制御部により選択的に設定される画像には、前記撮像素子で撮影される画像が含まれる。
【００１４】
こうすれば、ユーザの所望の画像を、撮ったその場でオープニング画像として使用できる。また、オープニング画像として利用する画像の選択の幅を広げることができる。
【００１５】
上記携帯型電子機器において、
前記第１の表示部は、前記第２の表示部に比べて消費電力が大きい表示デバイスであることが好ましい。
【００１６】
このようにすれば、第２の表示部に比べて消費電力の大きい第１の表示部の消費電力を抑制することができるので、携帯型電子機器全体の消費電力を抑制することができる。
【００１７】
また、上記携帯型電子機器は電子メール端末であることが好ましく、前記設定制御部により選択的に設定される画像には、受信した電子メールに添付された画像が含まれることが好ましい。
【００１８】
上記のようにすれば、受信した電子メールに添付された画像をオープニング画像として選択することができるので、オープニング画像として利用する画像の選択の幅を広げることができる。
【００１９】
【発明の実施の形態】
次に、本発明の実施の形態について、実施例に基づき以下の手順で説明する。
Ａ．装置の外観：
Ｂ．装置の構成：
Ｃ．装置の処理機能：
Ｃ１．設定処理：
Ｃ２．撮影処理：
Ｃ３．アルバム処理：
Ｃ４．アドレス調処理：
Ｃ５．メールボックス処理：
Ｃ６．メール作成処理：
Ｄ．オープニング画面の設定：
【００２０】
Ａ．装置の外観：
以下、本発明の実施の形態を実施例に基づいて説明する。図１は、本発明の一実施例としての携帯型メール端末の外観を示す説明図である。図１（Ａ）は正面図を示している。図１（Ｂ）は右側面図を示し、図１（Ｃ）は平面図を示している。図１（Ｄ）は底面図を示している。
【００２１】
このメール端末１００は、図１（Ａ），（Ｂ）に示すように、本体ケース部２０と表示ケース部３０とで構成されている。表示ケース部３０と本体ケース部２０とは、表示ケース部３０の下端部と本体ケース部２０の後単部に設けられたヒンジ部４０を介して互いに回動可能に取り付けられており、折りたたんで携帯することができる。
【００２２】
表示ケース部３０の前面３１には、第１の表示部６０および第２の表示部５０と、ＣＣＤ等の撮像素子を備えたカメラ７０とが設けられている。第１の表示部６０の表示面上にはタッチパネル６５が設けられている。第２の表示部５０は、モノクロ画像表示用の反射型ＳＴＮ（Super Twisted Nematic）液晶ディスプレイパネルで構成されており、自然光を照明光としてモノクロ画像を表示する。以下では、第２の表示部５０を「モノクロＬＣＤ（Liquid Crystal Display）」と呼ぶ場合もある。第１の表示部６０は、カラー画像表示用の透過型ＴＦＴ（Thin Film Transister）液晶ディスプレイパネルで構成されており、パネルの背面に設けられた光源の光を照明光としてカラー画像を表示する。以下では、第１の表示部６０を「カラーＬＣＤ」と呼ぶ場合もある。
【００２３】
図２は、カメラ７０を中心に拡大して示す説明図である。カメラ７０は、レンズ７２の向きが略正面方向から略背面方向まで可変できるように、回転軸７３を中心として回動可能に取り付けられている。
【００２４】
図１（Ｃ）に示すように本体ケース部２０の上面２１には、複数の入力キー８１を有するキーボード８０が設けられている。複数の入力キー８１は、文字の入力に使用する複数の文字キー（縦線ハッチングで示したキー）８１Ｃと、特定の機能が割り付けられる複数の機能キー（斜線ハッチングで示したキー）８１Ｆとに大別される。機能キー８１Ｆとしては、ファンクションキーや変換モードキー、矢印キー、シフトキー、実行キー、等の一般的な機能キーだけでなく、電源キー８１ＦＶや電子メールの送受信キー８１ＦＴ、カメラ７０のシャッタキー８１ＦＳも設けられている。
【００２５】
図１（Ｄ）に示すように本体ケース部２０の底面２２には、携帯電話と本メール端末１００とを接続するための接続ケーブル９０が取り付けられている。接続ケーブル９０は底面２２に設けられた収納部２３に収納可能である。また、底面２２の後端部および右側端部には、底面２２と略平面をなす第１の蓋２４および第２の蓋２５が取り付けられている。第１の蓋２４に対応する本体ケース部２０の内部には、電池ボックス２６が設けられている。この電池ボックス２６には、第１の蓋２４を開くことにより電池を実装することができる。第２の蓋２５に対応する本体ケース部２０の内部には、メディアボックス２７が設けられている。このメディアボックス２７には、第２の蓋２５を開くことにより外部記録媒体としてのメモリカードを実装することができる。
【００２６】
Ｂ．装置の構成：
図３は、メール端末１００の内部の概略構成を示す説明図である。このメール端末１００は、ＣＰＵ１１０と、ＲＯＭ１６０と、ＲＡＭ１７０とを備えるコンピュータである。ＲＯＭ１６０には、フォントデータ、アドレスデータなどの各種データや各種プログラムが格納されている。ＲＯＭ１６０に格納された各種データの加工に当たって、各種データはＲＡＭ１７０に一時保存される。
【００２７】
また、メール端末１００は、バス１１０ｂを介して接続されたキーボードコントローラ１２０と、モノクロＬＣＤコントローラ１３０と、カラーＬＣＤコントローラ１４０と、ＶＲＡＭ１８０と、タッチパネルコントローラ１５０と、メモリカードインタフェース１９０と、ビデオキャプチャデバイス２１０と、携帯電話インタフェース２２０とを備えている。
【００２８】
キーボードコントローラ１２０は、キーボード８０からの入力信号を処理する。タッチパネルコントローラ１５０は、タッチパネル６５からの入力信号を処理する。ＣＰＵ１１０はキーボードコントローラ１２０やタッチパネルコントローラ１５０から伝えられる情報に応じて、種々の処理を実行する。
【００２９】
モノクロＬＣＤコントローラ１３０は、モノクロＬＣＤ５０の表示を制御する。モノクロＬＣＤ５０には、文字や絵文字等の文字画像（キャラクタ画像）が２次元的に表示される。この実施例では、１行あたり全角２０文字で１０行の表示が可能である。カラーＬＣＤコントローラ１４０は、ＶＲＡＭ１８０に格納された画像データを読み出してカラーＬＣＤ６０に表示させるための制御を行う。カラーＬＣＤ６０には、撮像画像やＣＧ画像等のグラフィック画像がビットマップ表示される。なお、モノクロＬＣＤコントローラ１３０およびカラーＬＣＤコントローラ１４０が本発明の表示制御部に相当する。
【００３０】
メモリカードインタフェース１９０は、メモリカード２００に対してデータの書き込みと読み出しを制御する。
【００３１】
ビデオキャプチャデバイス２１０は、カメラ７０による画像の撮影を制御する。カメラ７０で撮影される画像は、複数の静止画像が連続する動画像として、順次ＶＲＡＭ１８０に格納され、カラーＬＣＤコントローラ１４０を介してカラーＬＣＤ６０に順次表示される。そして、シャッタキー８１ＦＳ（図１）を押した時に、ＶＲＡＭ１８０に格納されている画像データを撮像画像データとして取得する。取得された撮像画像データは、メモリカードインタフェース１９０を介してメモリカード２００に格納される。
【００３２】
携帯電話インタフェース２２０は、携帯電話２３０との間のデータの送受信を制御する。
【００３３】
この明細書において、コンピュータとは、ハードウェア装置とオペレーションシステムとを含む概念であり、オペレーションシステムの制御の下で動作するハードウェア装置を意味している。また、オペレーションシステムが不要でアプリケーションプログラム単独でハードウェア装置を動作させるような場合には、そのハードウェア装置自体がコンピュータに相当する。ハードウェア装置は、ＣＰＵ等のマイクロプロセッサと、記録媒体に記録されたコンピュータプログラムを読み取るための手段とを少なくとも備えている。コンピュータプログラムは、このようなコンピュータに、上述の各部の機能を実現させるプログラムコードを含んでいる。なお、上述の機能の一部は、アプリケーションプログラムでなく、オペレーションシステムによって実現されていても良い。
【００３４】
Ｃ．装置の処理機能：
図４は、メール端末１００の機能的な構成を示す説明図である。図３のＣＰＵ１１０は、ＲＯＭ１６０に格納されているプログラムを実行することにより、全体管理機能３１０、設定機能３２０、メール機能３３０、アドレス帳機能３４０、スナップショット機能３５０、タッチペン入力機能３６０、テキストエディタ機能３７０、画像編集機能３８０の各機能として動作する。
【００３５】
全体管理機能３１０は、メール端末１００の各種処理の全体を管理するためのソフトウエアプログラムにより実現される。設定機能３２０は、メール端末１００の動作条件等の種々の条件設定を可能とするためのソフトウエアプログラムにより実現される。メール機能３３０は、電子メールの作成、編集、および送受信を可能とするためのソフトウエアプログラムにより実現される。アドレス帳機能３４０は、電子メールのアドレス帳の作成および編集を可能とするためのソフトウエアプログラムにより実現される。スナップショット機能３５０は、カメラ７０による画像の撮影および撮像画像の取得を可能とするためのソフトウエアプログラムにより実現される。タッチペン入力機能３６０は、タッチパネル６５による入力を可能とするためのソフトウエアプログラムにより実現される。テキストエディタ機能３７０は、キーボード８０により文字入力を可能とするためのソフトウエアプログラムにより実現される。画像編集機能３８０は、種々の画像編集を可能とするためのソフトウエアプログラムにより実現される。これらの各種機能を随時実行することにより種々の処理が行われる。なお、これらの各機能を実現するためのプログラムは一般的であるので、ここではその処理の概要を説明し、詳細説明を省略する。
【００３６】
図５は、メール端末１００で実行される処理の全体的な流れを示すフローチャートである。電源キー８１ＦＶ（図１）を押して装置の電源をオンさせると、全体管理機能３１０（図４）によって、モノクロＬＣＤ５０やカラーＬＣＤ６０にオープニング画面が表示され（Ｓ１０１）、データの初期化等の各種設定が実行される。その後、メインメニューが表示される（Ｓ１０２）。なお、オープニング画面については後述する。
【００３７】
図６は、メインメニューが表示される場合のモノクロＬＣＤ５０とカラーＬＣＤ６０について示す説明図である。図６に示すように、モノクロＬＣＤ５０には、メインメニューが表示される。一方、カラーＬＣＤ６０の表示は非表示とされる。なお、カラーＬＣＤ６０の表示／非表示は、少なくとも、液晶パネルを照明する照明光のオン／オフにより実現される。さらに、照明光のオン／オフに加えて、液晶パネルに供給する電源のオン／オフを行うようにしてもよい。すなわち、本発明の表示のオン／オフは、表示全体を暗表示とするのではなく、表示部の動作自体をオン／オフとすることを意味している。
メインメニューには、図５に示すステップＳ１０３の「設定」と、ステップＳ１０４の「アドレス帳」と、ステップＳ１０５の「メール作成」と、ステップＳ１０６の「メールボックス」と、ステップＳ１０７の「撮影」と、ステップＳ１０８の「アルバム」を示す６つの処理メニューが表示される。６つの処理メニューの選択は、キーボード８０の矢印キーで選択して実行キーを押すことにより、または対応するファンクションキーを押すことにより行われる。図６では、ファンクションキーＦ１に「アルバム」、ファンクションキーＦ２に「撮影」、ファンクションキーＦ３に「メール作成」、ファンクションキーＦ４に「メールボックス」の各処理が対応付けられている場合を示している。なお、図中の●，◆，■，×の示される領域はキャラクタ画像の表示領域を示している（以下、同様である）。ステップＳ１０３ないしステップＳ１０８の各処理が終了すると、ステップＳ１０２の処理に戻ってメインメニューが表示される。
【００３８】
装置の起動中に電源キー８１ＦＶを押すと、モノクロＬＣＤ５０に終了画面が表示され（図５のＳ１１０）、種々の終了処理が行われた後装置の電源がオフされる。図７は、終了画面が表示される場合のモノクロＬＣＤ５０とカラーＬＣＤ６０の表示について示す説明図である。図７に示すように、モノクロＬＣＤ５０には終了画面が表示される。一方、カラーＬＣＤ６０の表示は非表示とされる。
【００３９】
Ｃ１．設定処理：
図６のメインメニューから設定処理が選択されると、設定機能３２０（図４）によってステップＳ１０３（図５）の設定処理が開始される。設定処理が実行されている場合、モノクロＬＣＤ５０には設定処理のガイダンス、例えば、処理の内容や流れに応じたメニューやメッセージが表示される。一方、カラーＬＣＤ６０の表示は非表示とされる。なお、後述するオープニング画面の設定は、この設定処理に含まれる。
【００４０】
Ｃ２．撮影処理：
図６のメインメニューから撮影処理が選択されると、スナップショット機能３５０（図４）によって、ステップＳ１０７（図５）の撮影処理が開始される。図８は、撮影処理におけるモノクロＬＣＤ５０とカラーＬＣＤ６０の表示について示す説明図である。撮影処理が開始されると、図８（Ａ）に示すように、カラーＬＣＤ６０には、カメラ７０（図４）によって撮影されている被写体の画像の動画表示が開始される。
【００４１】
ここで、被写体画像は、ビデオキャプチャデバイス２１０（図４）を介して一定間隔で静止画像として取り込まれ、順次ＶＲＡＭ１８０（図３）に格納される。ＶＲＡＭ１８０に格納された静止画像データは、カラーＬＣＤコントローラ１４０を介してカラーＬＣＤ６０に順次表示される。従って、カラーＬＣＤ６０に表示される被写体画像は、一定間隔で更新される静止画像による動画像として表示される。
【００４２】
一方、モノクロＬＣＤ５０には、図８（Ａ）に示すように、撮影処理のガイダンスが文字画像として表示される。具体的には、被写体画像の明るさの設定画面が表示されている。ユーザは、キーボード８０の左右の矢印キー（←，→）を利用して被写体画像の明るさを調整する。また、「シャッターボタンを押してください」というメッセージが表示される。
【００４３】
ユーザがメッセージに従ってシャッタキー８１ＦＳ（図１）を押すと、モノクロＬＣＤ５０には、「写真を保存中です」というメッセージが表示される。また、カラーＬＣＤ６０には、そのとき表示されていた被写体画像が静止画像として表示される。そして、ＶＲＡＭ１８０に格納されている画像データが、メモリカードインタフェース１９０（図４）を介してメモリカード２００に格納される。
【００４４】
メモリカード２００への画像データの格納が終了すると、図８（Ｃ）に示すように、モノクロＬＣＤ５０には、メニューが表示される。一方、カラーＬＣＤ６０には、先に撮影した被写体の撮像画像が静止画像として表示されている。ファンクションキーＦ１を押して撮影終了を選択すると図５のステップＳ１０２に戻り、モノクロＬＣＤ５０にはメインメニュー（図６）が表示される。カラーＬＣＤ６０の表示は非表示とされる。
【００４５】
Ｃ３.アルバム処理：
図６のメインメニューからアルバム処理が選択されると、画像編集機能３７０（図４）によって、ステップＳ１０８（図５）のアルバム処理が開始される。図９は、アルバム処理におけるモノクロＬＣＤ５０とカラーＬＣＤ６０の表示について示す説明図である。アルバム処理が開始されると、図９（Ａ）に示すように、モノクロＬＣＤ５０には、アルバム処理のガイダンスが表示され、「写真を読み込み中」というメッセージが表示される。このとき、メモリカードインタフェース１９０（図４）を介してメモリカード２００に格納されている画像データのうち１つが読み出されて、ＶＲＡＭ１８０に格納される。そして、ＶＲＡＭ１８０に格納された画像データは、カラーＬＣＤコントローラ１４０を介してカラーＬＣＤ６０に表示される。モノクロＬＣＤ５０の右下に表示される番号（ＮＯ．××××）は、表示されている画像に割り付けられた番号を示している。
【００４６】
なお、キーボード８０の上下の矢印キー（↑，↓）を押すことにより、メモリカード２００に格納されている画像を順に選択表示させることができる。また、スペースキーを押すことにより、図９（Ｂ）に示すように、４枚の画像をカラーＬＣＤ６０に同時に表示させることができる。モノクロＬＣＤ５０の右下の４つの枠は、カラーＬＣＤ６０に現在表示されている４枚の画像にそれぞれ対応しており、それぞれの枠内に示す番号（××××）は、現在表示されている画像のそれぞれに割り付けられている番号を示している。表示されている４枚の画像のうち選択したい画像上をタッチペンや指で押すと、タッチペン入力機能３６０（図４）によって、タッチパネル６５からタッチパネルコントローラ１５０を介してその選択情報が画像編集機能３８０に伝えられる。そして、図９（Ａ）に示すように、選択された画像がカラーＬＣＤ６０に表示される。
【００４７】
なお、図９（Ａ）または（Ｂ）の表示状態において、前の処理に戻るという処理が割り付けられた機能キー８１Ｆ（以下、「戻るキー」と呼ぶ）を押すことにより、モノクロＬＣＤ５０の表示は、図６のメインメニュー表示に戻り、カラーＬＣＤ６０の表示は非表示とされる。
【００４８】
メモリカード２００に格納されている画像データが無い場合には、図９（Ｃ）に示すように、カラーＬＣＤ６０は非表示とされ、モノクロＬＣＤ５０には「アルバムに写真がありません（どれかキーを押してください）」というメッセージが表示される。キーボード８０のいずれかの入力キーを押すと、図６のメインメニューが表示される。
【００４９】
図９（Ａ）において、ファンクションキーＦ１を押すことによりスナップ工房処理が実行される。また、ファンクションキーＦ２を押すことによりメール作成処理が実行される。また、ファンクションキーＦ４を押すことによりスライドショーが実行される。スライドショーが実行されると、メモリカード２００に格納されている画像が一定の間隔で自動的に順次表示される。メール作成処理については後述する。
【００５０】
図１０は、スナップ工房処理におけるモノクロＬＣＤ５０とカラーＬＣＤ６０の表示について示す説明図である。スナップ工房処理が開始されると、モノクロＬＣＤ５０にはスナップ工房のガイダンスが表示される。具体的には、編集画像を保存して終了する場合はファンクキーＦ１が、破棄して終了する場合はファンクションキーＦ２がそれぞれ割り付けられている旨のメッセージが表示される。
【００５１】
スナップ工房処理が開始されると、画像編集機能３８０により、種々の画像編集を実行することができる。例えば、フレーム画像を合成する機能（フレーム機能）、手書き入力機能、画像上にスタンプ画像を合成する機能（スタンプ機能）、画像をモノクロ処理する機能（白黒機能）、画像をセピア処理する機能（セピア機能）、画像をスリム処理する機能（スリム機能）、画像を切り抜き処理する機能（切り抜き機能）を実行することができる。これらの各機能は、タッチパネル６５の下端部および右端部にある複数のタッチパネルキー６５Ｋにそれぞれ割り付けられている。ユーザは、実行したい編集機能に対応するタッチパネルキー６５Ｋをタッチペンや指で押すことにより、その編集機能を選択することができる。なお、各編集機能は一般的な画像編集機能であるので説明を省略する。
【００５２】
ファンクションキーＦ１またはＦ２を押すことによりスナップ工房処理を終了すると、図９（Ａ）のに示すアルバム処理におけるモノクロＬＣＤ５０およびカラーＬＣＤ６０の表示に戻る。
【００５３】
Ｃ４．アドレス帳処理：
図６のメインメニューからアドレス帳処理が選択されると、アドレス帳機能３４０（図４）によって、ステップＳ１０４（図５）のアドレス帳処理が開始される。図１１は、アドレス帳処理におけるモノクロＬＣＤ５０とカラーＬＣＤ６０の表示について示す説明図である。アドレス帳処理が開始されると、図１１（Ａ）に示すようにモノクロＬＣＤ５０にアドレス帳一覧が表示される。このとき、カラーＬＣＤ６０の表示は非表示とされる。
【００５４】
ファンクションキーＦ１を押して、新規アドレス帳データの入力を選択すると、図１１（Ｂ）に示すように、モノクロＬＣＤ５０には新規入力用のアドレス帳画面が表示される。ユーザは、テキストエディタ機能３７０（図４）により、アドレス帳の各欄（名前、よみ、メールアドレス、誕生日）にデータを入力することができる。そして、ファンクションキーＦ２を押すことにより、入力したアドレス帳データを登録することができる。登録されたアドレス帳データは、ＲＯＭ１６０に格納される。
【００５５】
ファンクションキーＦ１を押すと、図１１（Ｃ）に示すように、上述したアルバム処理が開始され、カラーＬＣＤ６０にはメモリカード２００（図４）から読み出された画像が表示される。ユーザは、カラーＬＣＤ６０に表示される画像の中から、１つの画像を選択して、現在入力中のアドレス帳データに対応づけることができる。ファンクションキーＦ２を押して、対応付けたい画像を選択決定すると、図１１（Ｄ）に示すように、モノクロＬＣＤ５０には入力したアドレス帳データの一覧が表示され、カラーＬＣＤ６０には選択した画像が表示される。
【００５６】
なお、図１１（Ｄ）の表示状態において、戻るキーを押すことにより、図１１（Ａ）の表示状態に戻り、カラーＬＣＤ６０の表示は非表示とされる。さらに、戻るキーを押すことにより、図６のメインメニュー表示状態に戻る。
【００５７】
Ｃ５．メールボックス処理：
図６のメインメニューからメールボックス処理が選択されると、メール機能３３０（図４）によってステップＳ１０６のメールボックス処理（図５）が開始される。図１２は、メールボックス処理におけるモノクロＬＣＤ５０とカラーＬＣＤ６０の表示について示す説明図である。メールボックス処理が開始されると、モノクロＬＣＤ５０にはメールボックスのガイダンスが表示される。具体的には、送信ボックスまたは受信ボックスの選択メニューが表示される。一方、カラーＬＣＤ６０の表示は非表示である。ユーザは、キーボード８０の左右の矢印キーを利用して送信ボックスまたは受信ボックスを選択することができる。
【００５８】
図１３は、送信ボックス内にある送信メールの一覧を示す説明図である。送信ボックスが選択されると、図１３に示すように、後述するメール作成処理において作成された電子メールの一覧がモノクロＬＣＤ５０に表示される。「状況」欄に示されている「保」は保留中の電子メールを示し、「登」は登録済みで送信可能な電子メールを示し、「済」は送信済みの電子メールを示している。「Ｔｏ」欄は宛先を示し、「タイトル」欄は、電子メールのタイトルを示している。
【００５９】
キーボード８０の上下の矢印キーを利用して１つの電子メールを選択し（白黒反転表示）、実行キーを押すことにより選択された電子メールの詳細を表示することができる。図１４は、選択された電子メールの詳細な表示について示す説明図である。図１４に示すように、モノクロＬＣＤ５０には選択された電子メールの項目一覧（宛先（Ｔｏ）、タイトル、作成日時、本文）が表示され、撮像画像やＣＧ画像等のグラフィック画像が添付されている場合にはカラーＬＣＤ６０にその画像が表示される。各項目の詳細を表示させたい場合には、ファンクションキーＦ３を押して、モノクロＬＣＤ５０に表示されるガイダンスに従うことにより、宛先、タイトル、本文、添付画像を選択表示することができる。また、それぞれの表示画面において編集を行うこともできる。
【００６０】
図１３の送信メール一覧画面において、ファンクションキーＦ２を押すと、メール機能３３０によって登録済みメールの送信が実行される。電子メールの送信中は、モノクロＬＣＤ５０に送信中のメッセージが表示され、送信が終了すると送信終了のメッセージが表示される。そして、キーボード８０のいずれかの入力キーを押すと、図１３の送信メール一覧が表示される。このとき、送信された電子メールの状況表示欄は、「登」から「済」に変更されて表示される。
【００６１】
図１５は、受信ボックス内にある受信メールの一覧を示す説明図である。図１２の選択メニューにおいて受信ボックスが選択されると、受信された電子メールの一覧が表示される。電子メールの受信は、ファンクションキーＦ１を押すことにより実行される。電子メールの受信中は、モノクロＬＣＤ５０に受信に関するメッセージが表示され、受信が終了すると受信終了のメッセージが表示される。そして、キーボード８０のいずれかの入力キーを押すと、図１５の受信メール一覧が表示される。「状況」欄の「未」は未読メールを示し、「読」は既読メールを示している。「Ｆｒｏｍ」欄は差出人を示している。
【００６２】
キーボード８０の上下の矢印キーを利用して表示させたい電子メールを選択し（白黒反転表示）、実行キーを押すことにより選択された電子メールの詳細を表示することができる。図１６は、選択された電子メールの詳細な表示について示す説明図である。図１６に示すように、モノクロＬＣＤ５０には選択された電子メールの項目一覧が表示される。この項目一覧には、差出人、宛先、送信日時、タイトル、本文の各項目が一覧表示される。撮像画像やＣＧ画像等のグラフィック画像が添付されている場合にはカラーＬＣＤ６０にその添付画像が表示される。各項目の詳細を表示させたい場合には、ファンクションキーＦ１を押して、モノクロＬＣＤ５０に表示されるガイダンスに従うことにより、差出人、宛先、タイトル、本文を順に表示することができる。
【００６３】
Ｃ６．メール作成処理：
図６のメインメニューからメール作成処理が選択されると、メール機能３３０（図４）によってステップＳ１０５のメール作成処理（図５）が開始される。図１７および図１８は、メール作成処理におけるモノクロＬＣＤ５０とカラーＬＣＤ６０の表示について示す説明図である。メール作成処理が開始されると、図１７（Ａ）に示すように、モノクロＬＣＤ５０に宛先入力画面が表示される。このときカラーＬＣＤ６０は非表示である。
【００６４】
ユーザは、テキストエディタ機能３７０（図４）により直接宛先を入力するか、アドレス帳を開いて送信したい相手の宛先を選択することにより入力する。ファンクションキーＦ２を押して次に進むと、図１７（Ｂ）に示すように、モノクロＬＣＤ５０にタイトル入力画面が表示される。ユーザは、タイトル入力欄にテキストエディタ機能３７０により、タイトルを入力することができる。このときもカラーＬＣＤ６０は非表示である。
【００６５】
そして、ファンクションキーＦ２を押して次に進むと、図１７（Ｃ）に示すように、モノクロＬＣＤ５０に本文入力画面が表示される。ユーザは、テキストエディタ機能３７０により、本文入力欄に本文を入力することができる。このときもカラーＬＣＤ６０は非表示である。
【００６６】
さらに、ファンクションキーＦ２を押して次に進むと、上述した画像編集機能３８０によるアルバム処理が、写真選択処理として開始される。そして、図１８（Ａ）に示すように、モノクロＬＣＤ５０には、アルバム処理のガイダンスと同様に、写真選択のガイダンスが表示されるとともに、メモリカード２００に格納されている画像データのうち１つが読み出されてカラーＬＣＤ６０に表示される。ユーザは、上述のアルバム処理と同様にして添付したい画像を選択することができる。
【００６７】
ここで、ファンクションキーＦ４を押すことにより、タッチペン入力機能３６０および画像編集機能３８０により、カラーＬＣＤ画面上に手書き入力文字や画像を作成することができる。そして、この作成された画像を添付画像として選択することもできる。
【００６８】
ファンクションキーＦ２を押して次に進むか、あるいは、ファンクションキーＦ３を押して、写真ナシを選択することにより、図１８（Ｂ）に示すように、モノクロＬＣＤには、作成した電子メールの一覧が表示される。ファンクションキーＦ２を押して次に進んだ際、添付画像が選択されている場合はカラーＬＣＤ６０には添付される画像が表示され、添付画像が選択されていない場合はカラーＬＣＤは非表示とされる。また、ファンクションキーＦ３を押して写真ナシを選択した場合もカラーＬＣＤ６０の表示は非表示とされる。
【００６９】
ここで、ファンクションキーＦ３を押すことにより、作成した電子メールの詳細を、宛先、タイトル、本文、添付画像の順に表示して編集することができる。
【００７０】
ファンクションキーＦ１またはＦ２を押して電子メールの保留または登録を選択すると、上述したメールボックス処理が開始され、図１３に示した送信メールの一覧が表示される。
【００７１】
以上説明したように、各処理においてモノクロＬＣＤ５０には文字や絵文字等の文字画像が常時表示されている。一方、カラーＬＣＤ６０には、撮像画像やＣＧ画像等のグラフィック画像を表示させる必要がある場合においてのみ、その画像が表示され、他の場合においては非表示とされている。
【００７２】
ここで、カラーＬＣＤ６０は、カメラ７０により撮影された撮像画像やＣＧ画像等の高精細な画像を表示させるために、高画質な画像表示が可能であることが好ましい。そこで、カラーＬＣＤ６０としては、透過型ＴＦＴ液晶パネルを用いることが一般的である。このようなカラーＬＣＤ６０を常時表示とすると、電力消費量が大きくなり、電源としての電池寿命が短くなってしまう。一方、携帯端末としてはできる限り電池寿命が長い方が好ましい。
【００７３】
本実施例では、上述したように、高精細な画像を表示させる場合にのみカラーＬＣＤ６０に画像を表示させ、それ以外の場合の表示を非表示としている。これにより、カラーＬＣＤ６０における電力消費を抑制することができるので、電源としての電池寿命を比較的長くすることができる。
【００７４】
Ｄ．オープニング画面の設定：
図１９は、装置の起動時に表示されるオープニング画面を示す説明図である。電源キー８１ＦＶ（図１）を押して装置の電源をオンさせると、モノクロＬＣＤ５０には、モノクロＬＣＤコントローラ１３０を介してロゴマーク等のキャラクタ画像がオープニング画像として表示される。また、カラーＬＣＤ６０には、以下で説明する所定のオープニング画面設定条件に従って、カラーＬＣＤコントローラ１４０を介してグラフィック画像が表示される。これらの画像は、ユーザがいずれかの入力キー８１を押すまで表示される。
【００７５】
なお、オープニング画面表示時には、上述したように種々の条件設定の処理が行われるが、これらの処理には比較的多くの時間を要する。このため、モノクロＬＣＤ５０に表示される画像（オープニング画像）としては、図１９（Ａ）〜（Ｄ）に示すように４コマアニメ画像を表示する。これにより、初期設定に要する時間をユーザが長いと感じるのを抑制している。一方、カラーＬＣＤ６０には、オープニング画面設定条件によって設定されたグラフィック画像が表示される。なお、カラーＬＣＤ６０に画像を表示する方法として、図１９（Ａ）〜（Ｄ）に示すように１枚の画像を４段階に分けて表示することもできる。グラフィック画像のデータ量は非常に多いため、表示させたい１枚の画像のデータをＶＲＡＭ１８０（図１）に書き込んで表示させるには、多少時間がかかる。この場合、４コマ表示の順に応じて、１枚のグラフィック画像を４段階に分けて順に表示させるようにすれば、１段階の表示において１／４の画像データづつＶＲＡＭ１８０に書き込んで表示させればよい。
【００７６】
オープニング画面設定条件は、ステップＳ１０３の設定処理（図５）に含まれるオープニング画面設定処理を実行することにより設定される。図２０は、オープニング画面設定処理におけるモノクロＬＣＤ５０とカラーＬＣＤ６０の表示について示す説明図である。ステップＳ１０３（図５）の設定処理のメニュー画面（図示しない）からオープニング画面設定処理を選択して実行すると、図２０（Ａ）に示すように、モノクロＬＣＤ５０にはオープニング画面設定のメニュー画面が表示され、カラーＬＣＤ６０には、現在設定されているグラフィック画像が表示される。
【００７７】
カラーＬＣＤ６０に表示されるグラフィック画像は、ファンクションキーＦ１に割り付けられた「キャラクタ表示」と、ファンクションキーＦ２に割り付けられた「アルバムから表示」と、ファンクションキーＦ３に割り付けられた「表示なし」の３つの条件を選択できる。「表示なし」が選択されると、モノクロＬＣＤ５０にオープニング画像が表示されても、カラーＬＣＤ６０は非表示とされる。
【００７８】
「キャラクタ表示」が選択されると、図２０（Ｂ）に示すように、モノクロＬＣＤ５０にはキャラクタ選択メニューが表示され、ユーザは左右の矢印キーを押すことにより選択したいキャラクタを選択する。なお、選択されているキャラクタは枠で囲まれた状態で表示される。カラーＬＣＤ６０には、選択されているキャラクタに対応するグラフィック画像がＲＯＭ１６０（図３）から読み出されてＶＲＡＭ１８０（図３）に書き込まれ、カラーＬＣＤコントローラ１４０を介して表示される。ユーザは実行キーを押すことにより、選択したキャラクタに対応するグラフィック画像をオープニング画面においてカラーＬＣＤ６０に表示する画像として登録することができる。登録データは、ＲＯＭ１６０（図３）に格納される。装置の起動時には、ＲＯＭ１６０に格納された登録データに対応するグラフィック画像がカラーＬＣＤ６０に表示される。
【００７９】
「アルバムから表示」が選択されると、上述したアルバム処理が写真の選択処理として開始される。そして、図２０（Ｃ）に示すように、モノクロＬＣＤ５０には、アルバム処理のガイダンスと同様に、写真選択のガイダンスが表示されるとともに、メモリカード２００（図４）に格納されている画像データのうち１つが読み出されて、ＶＲＡＭ１８０に書き込まれ、カラーＬＣＤコントローラ１４０を介してカラーＬＣＤ６０に表示される。ユーザは、上述のアルバム処理と同様にして、オープニング画面として設定したい画像を選択して登録することができる。
【００８０】
なお、「アルバムから表示」が選択された後にシャッタキー８１ＦＳ（図１（Ｃ））を押すと、上述した撮影処理（図５のステップＳ１０７）が開始される。撮影処理において好みの画像を撮影し、機能キー８１Ｆのひとつである「戻るキー」を押すと、再び「アルバムから表示」が選択されて、図２０（Ｃ）に示す画面が表示される。このとき、カラーＬＣＤ６０には、今撮影した画像が表示されており、この画像をオープニング画像として登録することができる。
【００８１】
また、「アルバムから表示」が選択された後に送受信キー８１ＦＴ（図１（Ｃ））を押すと、上述したメールボックス処理（図５のステップＳ１０６）が開始される。受信メールに画像が添付されていれば、詳細表示された際にカラーＬＣＤ６０に添付画像が表示される（図１６）。ここで、戻るキーを押すと、再び「アルバムから表示」が選択されて、図２０（Ｃ）に示す画面が表示される。このとき、カラーＬＣＤ６０には、先ほど表示された受信メールの添付画像が表示されており、この画像をオープニング画像として登録することができる。
【００８２】
以上、説明したように、装置の起動時において、カラーＬＣＤ６０には、ユーザがあらかじめ選択的に設定したグラフィック画像を表示させることができる。選択可能な画像は、カメラ７０（図４）によって撮像された画像や、受信された電子メールに添付された画像、インターネットを介してダウンロードした画像等、メモリカード２００に格納されている画像の中から、ユーザが表示させたい画像を任意に選択して、希望の画像を表示させることができる。
【００８３】
なお、上記説明からわかるように、メモリカード２００やＲＯＭ１６０が本発明のメモリに相当し、設定機能３２０が設定制御部に相当する。
【００８４】
なお、本発明は上記の実施例や実施形態に限られるものではなく、その要旨を逸脱しない範囲において種々の態様において実施することが可能であり、例えば次のような変形も可能である。
【００８５】
上記実施例では、装置の起動時において、あらかじめ設定された１枚のグラフィック画像をカラーＬＣＤ６０に表示する場合を例に説明しているがこれに限定されるものではない。例えば、複数のグラフィック画像を設定しておき、装置の起動ごとに、日ごとに、曜日ごとに、月ごとに異なった画像を表示するようにしてもよい。
【００８６】
上記実施例では、モノクロＬＣＤ５０として反射型のＳＴＮ液晶パネルを用い、カラーＬＣＤ６０として透過型のＴＦＴ液晶パネルを用いた場合を例に説明しているがこれに限定されるものではない。モノクロＬＣＤ５０としては、半透過／反射型の液晶パネルを用いてもよい。また、ＳＴＮ液晶パネルのようなパッシブマトリクス型ではなくＴＦＴ液晶のようなアクティブマトリクス型の液晶パネルを用いてもよい。
【００８７】
カラーＬＣＤ６０としても、反射型や半透過／反射型の液晶パネルを用いるようにしてもよい。また、ＴＦＴ液晶パネルのようなアクティブマトリクス型ではなく、ＳＴＮ液晶パネルのようなパッシブマトリクス型の液晶パネルを用いるようにしてもよい。
【００８８】
また、上記実施例では、モノクロ画像を表示する表示部と、カラー画像を表示する表示部を有する場合を例に説明しているがこれに限定されるものではない。すべてモノクロ画像を表示するものでもよいし、すべてカラー画像を表示するものであってもよい。
【００８９】
また、上記実施例では、モノクロＬＣＤ５０とカラーＬＣＤ６０の２つの表示部を有する場合を例に説明しているが、これに限定するものではない。２以上の複数の表示部を備えていてもよい。
【００９０】
上記実施例では、携帯型メール端末に携帯電話を接続して使用する場合を例に説明しているが、携帯型メール端末に携帯電話の機能を備える構成であってもよい。
【００９１】
また、上記実施例では、携帯型メール端末を例に説明されているが、これに限定されるものではなく、文字や絵文字等の文字画像と、撮像画像やＣＧ画像等のグラフィック画像を表示可能な種々の携帯型電子機器に適用可能である。
【図面の簡単な説明】
【図１】本発明の一実施例としての携帯型メール端末の外観を示す説明図である。
【図２】カメラ７０を中心に拡大して示す説明図である。
【図３】メール端末１００の内部の概略構成を示す説明図である。
【図４】メール端末１００の機能的な構成を示す説明図である。
【図５】メール端末１００で実行される処理の全体的な流れを示すフローチャートである。
【図６】メインメニューが表示される場合のモノクロＬＣＤ５０とカラーＬＣＤ６０について示す説明図である。
【図７】終了画面が表示される場合のモノクロＬＣＤ５０とカラーＬＣＤ６０の表示について示す説明図である。
【図８】撮影処理におけるモノクロＬＣＤ５０とカラーＬＣＤ６０の表示について示す説明図である。
【図９】アルバム処理におけるモノクロＬＣＤ５０とカラーＬＣＤ６０の表示について示す説明図である。
【図１０】スナップ工房処理におけるモノクロＬＣＤ５０とカラーＬＣＤ６０の表示について示す説明図である。
【図１１】アドレス帳処理におけるモノクロＬＣＤ５０とカラーＬＣＤ６０の表示について示す説明図である。
【図１２】メールボックス処理におけるモノクロＬＣＤ５０とカラーＬＣＤ６０の表示について示す説明図である。
【図１３】送信ボックス内にある送信メールの一覧を示す説明図である。
【図１４】選択された電子メールの詳細な表示について示す説明図である。
【図１５】受信ボックス内にある受信メールの一覧を示す説明図である。
【図１６】選択された電子メールの詳細な表示について示す説明図である。
【図１７】メール作成処理におけるモノクロＬＣＤ５０とカラーＬＣＤ６０の表示について示す説明図である。
【図１８】メール作成処理におけるモノクロＬＣＤ５０とカラーＬＣＤ６０の表示について示す説明図である。
【図１９】装置の起動時に表示されるオープニング画面を示す説明図である。
【図２０】オープニング画面設定処理におけるモノクロＬＣＤ５０とカラーＬＣＤ６０の表示について示す説明図である。
【符号の説明】
２０…本体ケース部
２１…上面
２２…底面
２３…収納部
２４…第１の蓋
２５…第２の蓋
２６…電池ボックス
２７…メディアボックス
３０…表示ケース部
３１…前面
４０…ヒンジ部
５０…第２の表示部（モノクロＬＣＤ）
６０…第１の表示部（カラーＬＣＤ）
６５…タッチパネル
６５Ｋ…タッチパネルキー
７０…カメラ
７２…レンズ
７３…回転軸
８０…キーボード
８１…入力キー
８１Ｃ…文字キー
８１Ｆ…機能キー
８１ＦＴ…送受信キー
８１ＦＶ…電源キー
８１ＦＳ…シャッタキー
９０…接続ケーブル
１００…メール端末
１１０…ＣＰＵ
１１０ｂ…バス
１２０…キーボードコントローラ
１３０…モノクロＬＣＤコントローラ
１４０…カラーＬＣＤコントローラ
１５０…タッチパネルコントローラ
１６０…ＲＯＭ
１７０…ＲＡＭ
１８０…ＶＲＡＭ
１９０…メモリカードインタフェース
２００…メモリカード
２１０…ビデオキャプチャデバイス
２２０…携帯電話インタフェース
２３０…携帯電話
３１０…全体管理機能
３２０…設定機能
３３０…メール機能
３４０…アドレス帳機能
３５０…スナップショット機能
３６０…タッチペン入力機能
３７０…テキストエディタ機能
３８０…画像編集機能
【図１】
0003695279.tif 000002
【図２】
0003695279.tif 000003
【図３】
0003695279.tif 000004
【図４】
0003695279.tif 000005
【図５】
0003695279.tif 000006
【図６】
0003695279.tif 000007
【図７】
0003695279.tif 000008
【図８】
0003695279.tif 000009
【図９】
0003695279.tif 000010
【図１０】
0003695279.tif 000011
【図１１】
0003695279.tif 000012
【図１２】
0003695279.tif 000013
【図１３】
0003695279.tif 000014
【図１４】
0003695279.tif 000015
【図１５】
0003695279.tif 000016
【図１６】
0003695279.tif 000017
【図１７】
0003695279.tif 000018
【図１８】
0003695279.tif 000019
【図１９】
0003695279.tif 000020
【図２０】
0003695279.tif 000021